(57)【要約】【課題】単数または複数の線材の端部、交差部、連結部などを着脱可能に被覆することができ、安定した被覆状態を維持することができる線材カバーを提供する。【解決手段】線材カバー１００は、ネジ機構を介して互いに着脱可能な下部カバー３０と上部カバー１０とを備えている。下部カバー３０は、円筒状の周壁３１ｗの外周に雄ネジ溝３１ｎが形成された雄ネジ部３１と、周壁３１ｗの基端３１ｂ側に雄ネジ部３１の外径３１ｄより拡径した有底円筒形状に形成された下本体部３２と、を有する。上部カバー１０は、雄ネジ部３１に螺着可能な雌ネジ部１１と、雌ネジ部１１から拡径した有底円筒形状に形成された上本体部１２と、を有する。下部カバー３０の雄ネジ部３１の周壁３１ｗに、周壁３１ｗの先端３１ａから周壁３１ｗの基端３１ｂと下本体部３２との境界に至る複数のスリット３３,３３を設けている。【選択図】図１
2020089657.tif 000002
【特許請求の範囲】
【請求項１】
円筒状の周壁の外周に雄ネジ溝が形成された雄ネジ部と、前記周壁の基端側に前記雄ネジ部の外径より拡径した形状に形成された下本体部と、を有する下部カバーと、
前記下部カバーの前記雄ネジ部に螺着可能な雌ネジ部と、前記雌ネジ部から拡径した形状に形成された上本体部と、を有する上部カバーと、を備え、
前記下部カバーの雄ネジ部の周壁に、前記周壁の先端から前記周壁の基端と前記下本体部との境界に至る少なくとも一つのスリットを設けた線材カバー。
【請求項２】
前記下部カバーの雄ネジ部と前記上部カバーの雌ネジ部とを螺着させたとき、前記下本体部並びに前記上本体部において対向する領域に、互いに接触若しくは接近する平面部を設けた請求項１記載の線材カバー。
【請求項３】
前記下部カバーの下本体部の平面部に、前記スリットの基端と連通し、前記スリットの基端から前記平面部の外周に至る溝を設けた請求項１または２記載の線材カバー。
【請求項４】
複数の前記スリットを前記下部カバーの雄ネジ部の周壁の周方向に沿って等間隔に配置した請求項１〜３の何れかの項に記載の線材カバー。
【請求項５】
前記下部カバーの下本体部の外表面及び前記上部カバーの上本体部の外表面の少なくとも一部に、平面領域、凸曲面領域、凹曲面領域のうちの何れか一以上を有する請求項１〜４の何れかの項に記載の線材カバー。
【発明の詳細な説明】
【技術分野】
【０００１】
本発明は、紐、針金、ロープなどの各種線材の端部、交差部、連結部などを被覆するように取り付けられる線材カバーに関する。
【背景技術】
【０００２】
紐や針金などの線材の端部、交差部、連結部などを覆うように取り付けられる部材や器具については、従来、様々なものが提案されているが、本発明に係る線材カバーに関連する従来技術として、例えば、特許文献１の［図１］に記載された「締結器具１０」、特許文献２の［図２］に記載された「ループエンド９」あるいは特許文献３の［図１］，［図６］に記載された「線材係留アンカーＡ」などがある。
【０００３】
特許文献１に記載された「締結器具１０」は、紐状体３の両端部に形成された拡径部３１，３２を固定、分離することができる器具である。特許文献２に記載された「ループエンド９」は、紐３の両端部を結束する部材である。特許文献３に記載された「線材係留アンカーＡ」は、金属線材１５ｘ，１５ｙが直交する部分を、自然石２５に対して、位置ズレ不能に押え止めることができる器具である。
【先行技術文献】
【特許文献】
【０００４】
【特許文献１】実用新案登録第３２１５６７３号公報
【特許文献２】実用新案登録第３１５７９０３号公報
【特許文献３】特開平１１−２１０００３号公報
【発明の概要】
【発明が解決しようとする課題】
【０００５】
特許文献１に記載された「締結器具１０」は紐状体３の両端部を締結する用途には好適であるが、１本の紐の一端部のみを被覆したり、３本以上の紐の３つ以上の端部や連結部を被覆したりする用途には不適である。また、「締結器具１０」は、タグの取付時などに本体１とカバー２とが容易に固定・分離できるように、作業性の向上を重視した形状であるため、締結状態が不安定な面があるのは否定できない。
【０００６】
特許文献２に記載された「ループエンド９」は紐３の両端部を強力に結束する機能を有しているが、固定式であるため、一旦、紐３の両端部を結束した後、ループエンド９を紐３から離脱させたり、ループエンド９を紐３に再装着したりすることができない。
【０００７】
特許文献３に記載された「線材係留アンカーＡ」は、金属線材１５ｘ，１５ｙを位置ズレ不能に押え止めることができるが、使用中はボルトＢの軸部１８から金属線材１５ｘ，１５ｙに対して強力な押圧力や剪断力が加わっているので、柔軟な材料で形成された紐、針金、ロープなどの交差部に使用すると、紐、針金、ロープなどが破断する可能性が高く、不向きである。
【０００８】
そこで、本発明が解決しようとする課題は、単数または複数の線材の端部、交差部、連結部などを着脱可能に被覆することができ、安定した被覆状態を維持することができる線材カバーを提供することにある。
【課題を解決するための手段】
【０００９】
本発明に係る線材カバーは、円筒状の周壁の外周に雄ネジ溝が形成された雄ネジ部と、前記周壁の基端側に前記雄ネジ部の外径より拡径した形状に形成された下本体部と、を有する下部カバーと、
前記下部カバーの前記雄ネジ部に螺着可能な雌ネジ部と、前記雌ネジ部から拡径した形状に形成された上本体部と、を有する上部カバーと、を備え、
前記下部カバーの雄ネジ部の周壁に、前記周壁の先端から前記周壁の基端と前記下本体部との境界に至る少なくとも一つのスリットを設けたことを特徴とする。
【００１０】
前記線材カバーにおいては、前記下部カバーの雄ネジ部と前記上部カバーの雌ネジ部とを螺着させたとき、前記下本体部並びに前記上本体部において対向する領域に、互いに接触若しくは接近する平面部を設けることが望ましい。
【００１１】
前記線材カバーにおいては、前記下部カバーの下本体部の平面部に、前記スリットの基端と連通するとともに、前記スリットの基端から前記平面部の外周に至る溝を設けることが望ましい。
【００１２】
前記線材カバーにおいては、複数の前記スリットを前記下部カバーの雄ネジ部の周壁の周方向に沿って等間隔に配置することができる。
【００１３】
前記線材カバーにおいては、前記下部カバーの下本体部の外表面及び前記上部カバーの上本体部の外表面の少なくとも一部に、平面領域、凸曲面領域、凹曲面領域のうちの何れか一以上を設けることができる。なお、前記下部カバーの下本体部の外表面及び前記上部カバーの上本体部の外表面における「外表面」とは、下部カバー及び上部カバーの外形を形成する、外部から目視できる露出面をいう。
【発明の効果】
【００１４】
本発明により、単数または複数の線材の端部、交差部、連結部などを着脱可能に被覆することができ、安定した被覆状態を維持することができる線材カバーを提供することができる。
【図面の簡単な説明】
【００１５】
【図１】本発明の実施形態である線材カバーを示す斜視図である。
【図２】図１中の矢線Ａ方向から見た線材カバーの平面図である。
【図３】図１に示す線材カバーの分解正面図である。
【図４】図３中の矢線Ｄ方向から見た下部カバーの平面図である。
【図５】図３中の矢線Ｅ方向から見た上部カバーの底面図である。
【図６】図２中のＢ−Ｂ線における断面図である。
【図７】図２中のＣ−Ｃ線における断面図である。
【図８】図２中のＣ−Ｃ線における分解断面図である。
【図９】図４に示す下部カバーに紐の連結部を収容した状態を示す一部省略平面図である。
【図１０】図９に示す下部カバーに上部カバーを螺着して紐の連結部をカバーした状態にある線材カバーを示す一部省略斜視図である。
【図１１】図１０に示す線材カバーの一部省略断面図である。
【図１２】図１に示す線材カバーのその他の使い方を示す一部省略断面図である。
【図１３】下部カバーに関するその他の実施形態を示す一部省略平面図である。
【図１４】下部カバーに関するその他の実施形態を示す一部省略平面図である。
【図１５】下部カバーに関するその他の実施形態を示す一部省略平面図である。
【図１６】下部カバーに関するその他の実施形態を示す一部省略平面図である。
【図１７】（ａ）〜（ｅ）は本発明のその他の実施形態である線材カバーを示す一部省略平面図である。
【発明を実施するための形態】
【００１６】
以下、図１〜図１７に基づいて、本発明の実施形態である線材カバー１００、その他の実施形態である下部カバー並びにその他の実施形態である線材カバー１０１，１０２，１０３，１０４，１０５について説明する。
【００１７】
初めに、図１〜図１２に基づいて、線材カバー１００について説明する。図１〜図５に示すように、線材カバー１００は、後述するネジ機構（雄ネジ部３１，雌ネジ部１１）を介して互いに着脱可能な下部カバー３０と上部カバー１０とを備えている。
【００１８】
図３，図４に示すように、下部カバー３０は、円筒状の周壁３１ｗの外周に雄ネジ溝３１ｎが形成された雄ネジ部３１と、周壁３１ｗの基端３１ｂ側に雄ネジ部３１の外径３１ｄより拡径した有底円筒形状に形成された下本体部３２と、を有する。
【００１９】
図５に示すように、上部カバー１０は、下部カバー３０の雄ネジ部３１に螺着可能な雌ネジ部１１と、雌ネジ部１１から拡径した有底円筒形状に形成された上本体部１２と、を有する。
【００２０】
図３，図４に示すように、下部カバー３０の雄ネジ部３１の周壁３１ｗに、周壁３１ｗの先端３１ａから周壁３１ｗの基端３１ｂと下本体部３２との境界に至る複数のスリット３３,３３が設けられている。複数のスリット３３，３３は、周壁３１ｗの軸心３１ｃを挟んで対向する位置（周壁３１ｗの周方向に沿って軸心３１ｃ周りに１８０度離れた位置）に設けられている。
【００２１】
線材カバー１００においては、下部カバー３０の雄ネジ部３１と上部カバー１０の雌ネジ部１１とを螺着させたとき、下本体部３２並びに上本体部１２において対向する領域に、互いに接触する平面部３４，１３が設けられている。また、図３，図４に示すように、下部カバー３０の下本体部３２の平面部３４に、複数のスリット３３，３３の基端（平面部３４寄りの部分）と連通するとともに、スリット３３，３３の基端からそれぞれ平面部３４の外周に至る溝３５が設けられている。
【００２２】
図１に示すように、下部カバー３０と上部カバー１０とをネジ機構を介して互いに螺着して線材カバー１００を形成したとき、図３に示す平面部３４，１３は、図６，図７に示すように、互いに接触した状態となるが、平面部３４の外周において溝３５は上本体部１２及び下本体部３２の外周面に開口した状態に保たれる。
【００２３】
また、図１に示すように、下部カバー３０と上部カバー１０とをネジ機構を介して互いに螺着して線材カバー１００を形成したとき、図６，図７に示すように、下部カバー３０の周壁３１ｗの内側には、後述する紐の連結部などを収容可能な空洞部Ｈが形成される。
【００２４】
ここで、図１，図３，図４，図８〜図１１に基づいて、前述した線材カバー１００の使い方などについて説明する。図１に示す線材カバー１００の下部カバー３０を回転しないように保持した状態で、上部カバー１０を矢線Ｒの方向に回転させるとネジ機構が緩んでいくので、図３，図８に示すように、下部カバー３０から上部カバー１０を分離することができる。
【００２５】
下部カバー３０から上部カバー１０を分離させると、図４に示すように、下部カバー３０の周壁３１ｗの先端３１ａに空洞部Ｈが開口した状態で現れるので、図９に示すように、二本の紐１，１の連結部２を空洞部Ｈの真上に置き、紐１，１をそれぞれ周壁３１ｗのスリット３３，３３内に装入し、そのまま紐１，１を下本体部３２に向かって下降させると、紐１，１の連結部２は空洞部Ｈ内に収容され、紐１，１の本体はそれぞれスリット３３，３３を通過した状態で溝３５，３５内に嵌り込む。
【００２６】
この後、図１０に示すように、下部カバー３０に上部カバー１０を螺着させると、線材カバー１００が形成され、図１１に示すように、紐１，１の連結部２は空洞部Ｈ内に収容された状態となる。紐１，１の連結部２の最大外径はスリット３３及び溝３５の最大内径より大であるため、紐１，１の長手方向の外力が線材カバー１００若しくは紐１，１に加わることがあっても、線材カバー１００から連結部２が露出することはない。また、下部カバー３０から上部カバー１０を分離すれば、紐１，１及び連結部２を線材カバー１００から離脱させることができる。
【００２７】
このように、線材カバー１００を使用することにより、複数の紐１，１の連結部２を着脱可能に被覆することができる。また、下部カバー３０と上部カバー１０とはネジ機構によって連結されているため、安定した被覆状態を維持することができる。
【００２８】
次に、図１２に基づいて、線材カバー１００のその他の使い方などについて説明する。図１１においては、紐１，１の連結部２を線材カバー１００によって被覆しているが、線材カバー１００の使い方は限定しないので、図１２に示すように、二本の紐１，１のそれぞれの結び目３，３の両方を空洞部Ｈ内に収容することもできる。この場合、線材カバー１００は、紐１，１の結び目３，３を被覆するとともに、二本の紐１，１を連結する機能を発揮する。
【００２９】
図１２に示すように、空洞部Ｈ内に収容された二本の紐１，１の結び目３，３の最大外径はスリット３３及び溝３５の最大内径より大であるため、紐１，１の長手方向の外力が線材カバー１００若しくは紐１，１に加わることがあっても、線材カバー１００から結び目３，４が露出することはない。
【００３０】
なお、線材カバー１００の用途は、紐１，１の連結部２や紐１，１の結び目３，３の被覆に限定しないので、紐１以外の針金、ロープなどの各種線材の端部、交差部、連結部なども着脱可能に被覆することができ、安定した被覆状態を維持することができる。
【００３１】
次に、図１３〜図１６に基づいて、図１に示す線材カバー１００を構成する下部カバー３０に関するその他の実施形態について説明する。なお、後述する下部カバー３６，３７，３８，３９において、図４に示す下部カバー３０の構成部分と共通する部分は図４中の符号と同符号を付して説明を省略することがある。
【００３２】
図１３に示す下部カバー３６においては、複数のスリット３３及び溝３５が、周壁３１ｗの周方向に沿って軸心３１ｃ周りに９０度離れた位置に設けられている。図１４に示す下部カバー３７においては、周壁３１ｗの一部に単数のスリット３３及び溝３５が設けられている。
【００３３】
図１５に示す下部カバー３８においては、複数のスリット３３及び溝３５は、周壁３１ｗの周方向に沿って軸心３１ｃ周りに１２０度離れた位置に等間隔に設けられている。図１６に示す下部カバー３９においては、複数のスリット３３及び溝３５は、周壁３１ｗの周方向に沿って軸心３１ｃ周りに９０度離れた位置に等間隔に設けられている。
【００３４】
このように、周壁３１ｗに設けられるスリット３３及び平面部３４に設けられる溝３５の本数や配置間隔などは限定しないので、線材カバー１００の使い方に対応して任意に設定することができる。
【００３５】
次に、図１７に基づいて、本発明のその他の実施形態である線材カバー１０１，１０２，１０３，１０４，１０５について説明する。図１に示す線材カバー１００の外観形状は短円柱形状であり、平面視形状は円形（図２参照）をしているが、外観形状は限定しないので、本発明に係る線材カバーの構成要件を具備し、その機能を阻害しない限り、用途、デザイン上の要請などに応じて任意の形状とすることができる。
【００３６】
図１７（ａ）に示す線材カバー１０１は、その外形が球形状をしている。図１７（ｂ）に示す線材カバー１０２は、その平面視形状がハート形状をしている。図１７（ｃ）に示す線材カバー１０３は、その平面視形状が三角形状をしている。図１７（ｄ）に示す線材カバー１０４においては、その平面視形状がトランプのスペード形状をしている。図１７（ｅ）に示す線材カバー１０５においては、その平面視形状が星形状をしている。
【００３７】
このように、本発明に係る線材カバーにおいては、下部カバーの下本体部の外表面及び上部カバーの上本体部の外表面の少なくとも一部に、平面領域、凸曲面領域、凹曲面領域のうちの何れか一以上を設けることにより、図１７に示すように、様々な外観形状を有する線材カバー１０１，１０２，１０３，１０４，１０５を形成することができる。
【００３８】
なお、図１〜図１７に基づいて説明した線材カバー１００，１０１，１０２，１０３，１０４，１０５並びに下部カバー３６，３７，３８，３９は、本発明に係る線材カバー並びに下部カバーを例示するものであり、本発明に係る線材カバー並びに下部カバーは前述した線材カバー１００，１０１，１０２，１０３，１０４，１０５並びに下部カバー３６，３７，３８，３９に限定するものではない。
【産業上の利用可能性】
【００３９】
本発明に係る線材カバーは、様々な産業分野で使用されている紐、針金、ロープなどの各種線材の端部、交差部、連結部などを被覆する器具として広く利用することができる。
【符号の説明】
【００４０】
１  紐
２  連結部
３  結び目
１０  上部カバー
１１  雌ネジ部
１２  上本体部
１３，３４  平面部
３０，３６，３７，３８，３９  下部カバー
３１  雄ネジ部
３１ａ  先端
３１ｄ  外径
３１ｃ  軸心
３１ｎ  雄ネジ溝
３１ｗ  周壁
３２  下本体部
３３  スリット
３５  溝
１００，１０１，１０２，１０３，１０４，１０５  線材カバー
Ｈ  空洞部
【図１】
2020089657.tif 000003
【図２】
2020089657.tif 000004
【図３】
2020089657.tif 000005
【図４】
2020089657.tif 000006
【図５】
2020089657.tif 000007
【図６】
2020089657.tif 000008
【図７】
2020089657.tif 000009
【図８】
2020089657.tif 000010
【図９】
2020089657.tif 000011
【図１０】
2020089657.tif 000012
【図１１】
2020089657.tif 000013
【図１２】
2020089657.tif 000014
【図１３】
2020089657.tif 000015
【図１４】
2020089657.tif 000016
【図１５】
2020089657.tif 000017
【図１６】
2020089657.tif 000018
【図１７】
2020089657.tif 000019